(57)【要約】  本発明はＬＥＤ照明アセンブリ（１）を製造する方法に関連し、本方法は、複数の発光ダイオード（１１）のためのフレキシブル・キャリア（１０）を準備するステップ；発光ダイオード（１１）をフレキシブル・キャリア（１０）に取り付けるステップ；所望の形状又は形態に曲げることが可能な材料により構成されるフレキシブル成形要素（１２）を提供し、ヒート・スプレッダ（１２１）を組み込むステップ；及びフレキシブル・キャリアをフレキシブル成形要素の周りに螺旋状に巻き付けるステップを含む。本発明はそのようなＬＥＤ照明アセンブリ（１）、及びそのような照明アセンブリ（１）を含むＬＥＤ照明ユニット（２）に更に関連する。【選択図】図１
2019536217.tif 000002
【特許請求の範囲】
【請求項１】
ＬＥＤ照明アセンブリを製造する方法であって、
複数の発光ダイオードのためのフレキシブル・キャリアを準備するステップ；
前記発光ダイオードを前記フレキシブル・キャリアに取り付けるステップ；
所望の形状又は形態に曲げることが可能な材料により構成されるフレキシブル成形要素を提供し、ヒート・スプレッダを組み込むステップ；及び
前記フレキシブル・キャリアを前記フレキシブル成形要素の周りに螺旋状に巻き付けるステップ；
を含む方法。
【請求項２】
巻き付けた後に所望のＬＥＤ配置を達成するように巻き付けピッチを決定するステップが、前記巻き付けるステップに先行している、請求項１に記載の方法。
【請求項３】
前記巻き付けピッチは、前記フレキシブル成形要素の寸法及び／又は前記フレキシブル・キャリアの寸法に基づいて決定される、請求項２に記載の方法。
【請求項４】
前記フレキシブル・キャリアを準備するステップは、前記発光ダイオード間の取り付けピッチを、巻き付けた後の所望のＬＥＤ配置に基づいて決定するステップを含む、請求項１−３のうち何れか１項に記載の方法。
【請求項５】
前記発光ダイオード及び前記フレキシブル・キャリアに保護コーティングを塗布するステップが、前記巻き付けるステップに先行している、請求項１−４のうち何れか１項に記載の方法。
【請求項６】
前記螺旋状に巻き付けられたキャリア及び前記発光ダイオードを、半透明のフレキシブル材料の中に封入するステップを含む、請求項１−５のうち何れか１項に記載の方法。
【請求項７】
前記フレキシブル成形要素を提供するステップは、フレキシブル材料の支持要素の周りにワイヤ・コイルを巻き付け、それにより動作中に前記ワイヤ・コイルが前記ＬＥＤからの熱を放散できるようにするステップを含む、請求項１−３のうち何れか１項に記載の方法。
【請求項８】
ＬＥＤ照明アセンブリであって、
所望の形状又は形態に曲げることが可能な材料により構成され、ヒート・スプレッダを組み込むフレキシブル成形要素；
フレキシブル・キャリアに取り付けられる複数の発光ダイオード；
を含み、前記フレキシブル・キャリアは前記フレキシブル成形要素の周りに螺旋状に巻き付けられる、ＬＥＤ照明アセンブリ。
【請求項９】
フレキシブル・キャリアは、独立に制御可能なＬＥＤの２つ以上のセットのためにトラックを提供するように準備されている、請求項８に記載のＬＥＤ照明アセンブリ。
【請求項１０】
共有されるフレキシブル成形要素の周りに巻き付けられた２つ以上のフレキシブル・キャリアを含む、請求項８又は請求項９に記載のＬＥＤ照明アセンブリ。
【請求項１１】
前記フレキシブル成形要素は長尺支持要素を含み、前記長尺支持要素はシリコーン・ゴムにより構成されている、請求項８−１０のうち何れか１項に記載のＬＥＤ照明アセンブリ。
【請求項１２】
前記フレキシブル成形要素は、前記長尺支持要素の周りに巻き付けられたワイヤ・コイルを含む、請求項１１に記載のＬＥＤ照明アセンブリ。
【請求項１３】
ＬＥＤの線状配置を達成するように前記フレキシブル成形要素の周りにフレキシブル・キャリアが巻き付けられている、請求項８−１１のうち何れか１項に記載のＬＥＤ照明アセンブリ。
【請求項１４】
コンテナ内に配置される請求項８−１３のうち何れか１項に記載のＬＥＤ照明アセンブリを含み、前記コンテナは、複数の部分的に反射する側壁と前記側壁により規定される光出口開口とを含み、前記ＬＥＤ照明アセンブリは半透明のフレキシブル材料中に埋め込まれる、ＬＥＤ照明ユニット。
【請求項１５】
車両の後方照明ユニットとして実現される請求項１４に記載のＬＥＤ照明ユニットであって、フレキシブル・キャリアは、前記フレキシブル・キャリアに取り付けられるレッドＬＥＤ及びイエローＬＥＤの独立に制御可能なセットのためのトラックを含む、ＬＥＤ照明ユニット。
【発明の詳細な説明】
【技術分野】
【０００１】
本願はＬＥＤ照明アセンブリの製造方法、ＬＥＤ照明アセンブリ、及びＬＥＤ照明ユニットを説明している。
【背景技術】
【０００２】
発光ダイオード（ＬＥＤｓ）は、広く様々な照明用途に使用されている。１つ又は複数のＬＥＤは、例えば、直列配置で接続され、電源によって駆動されることが可能である。通常、ＬＥＤダイ又はチップは、導電性トラック及びコンタクト領域を含むように準備されたプリント回路基板（ＰＣＢ）などのキャリア上に実装され、それにより、ＬＥＤダイが適所に実装されると、ＬＥＤｓは電気回路に接続される。ＬＥＤ照明用途のためのＰＣＢは、一般に、ファイバーガラス積層体のような頑丈な材料で構成され、通常、動作中にＬＥＤからの熱を放散するヒート・スプレッダ上に取り付けられる。複数のＬＥＤが使用される場合、ＰＣＢ上のＬＥＤの位置は、光源の形状を決定する。このタイプの構造の欠点は、少なくともＰＣＢが特定の照明ユニット各々のために設計及び製造されなければならないことである。あるタイプのＬＥＤ照明用途に適合するように成形されるＰＣＢ及びヒート・スプレッダ構成は、たとえこれらのＬＥＤ照明用途が非常に類似していたとしても、他のＬＥＤ照明用途にとっては全く適していないかもしれない。このことは広範な照明製品を開発するコストを著しく増加させる。
【０００３】
従って、本発明の課題は、ＬＥＤ照明アセンブリを製造する、より経済的な方法を提供することである。
【発明の概要】
【０００４】
本発明の課題は、ＬＥＤ照明アセンブリを製造する請求項１に記載の方法、請求項８に記載のＬＥＤ照明アセンブリ、及び請求項１４に記載のＬＥＤ照明ユニットによって達成される。
【０００５】
本発明によれば、ＬＥＤ照明アセンブリを製造する方法は、複数の発光ダイオードのためのフレキシブル・キャリアを準備するステップ；発光ダイオードをフレキシブル・キャリアに取り付けるステップ；所望の形状又は形態に曲げることが可能な材料により構成されるフレキシブル成形要素を提供するステップ；フレキシブル成形要素にヒート・スプレッダを組み込むステップ；及びフレキシブル・キャリアをフレキシブル成形要素の周りに螺旋状に巻き付けるステップを含む。
【０００６】
本発明の方法の利点は、広範囲に及ぶＬＥＤ照明ユニットが、単一のキャリア設計を用いて組み立てられることを許容する点にある。例えば、キャリアは、固定された幅を有する長いストリップであるとすることができ、ＬＥＤは、固定されたオフセット又はピッチでキャリア上に取り付けられることが可能である。フレキシブル・キャリアに取り付けられる一組のＬＥＤｓは、電源に接続されると、光源としての役割を果たす。本発明の方法では、異なる種類のフレキシブル成形要素の周りにキャリアを巻き付ける又はラッピングすることによって、単一のキャリア設計が、異なるＬＥＤ照明用途で使用するための異なる形状のＬＥＤ光源を達成するために使用されることが可能である。
【０００７】
本発明によれば、ＬＥＤ照明アセンブリは、ヒート・スプレッダを組み込んだフレキシブル成形要素と、フレキシブル・キャリア上に取り付けられた多数の発光ダイオードとを含む。フレキシブル・キャリアは、フレキシブル成形要素の周りに螺旋状に巻き付けられる。このようにして、本発明のＬＥＤ照明アセンブリは、広範囲に及ぶモデル又は用途に使用されることが可能な単一のタイプのアセンブリを効果的に提供する。
【０００８】
本発明のＬＥＤ照明ユニットは、コンテナ（又は容器）内に配置されるこのようなＬＥＤ照明アセンブリを含み、このコンテナは、複数の部分的に反射する側壁と、側壁によって規定される光出口開口とを含み、ＬＥＤ照明アセンブリは、半透明のフレキシブル材料に埋め込まれる。成形素子はフレキシブルであり、任意の所望の形状を持つことが可能であり、フレキシブル・キャリアは、任意の多数の方法でフレキシブル成形素子の周りに配置されることが可能であるので、本発明のＬＥＤ照明ユニットの可能な設計の範囲は、本質的に制限されない。本発明のＬＥＤ照明ユニットの利点は、種々の異なるタイプのＬＥＤ照明ユニットを提供するために、異なる製造業者によって変更されることなく使用され得ることである。
【０００９】
従属請求項及び以下の説明は、本発明の特に有利な実施形態及び特徴を開示している。実施形態の特徴は、適宜組み合わされてよい。ある請求項のカテゴリーの文脈において説明される特徴は、他の請求項のカテゴリーにも同様に適用されることが可能である。
【００１０】
「キャリア」は、電気回路内の１つ以上のＬＥＤを接続するために使用される任意の構造であるとすることが可能である。好ましくは、フレキシブル・キャリアは、高い可撓性を有する薄いプリント回路基板（ＰＣＢ）である。このような薄いＰＣＢは、湾曲した形状をとるように屈曲させられる又は曲げられることが可能である。本発明の好ましい実施例では、フレキシブル・キャリアは、ポリイミド等のプラスチック・フィルムに銅箔を取り付けることによって用意される。銅箔又はプラスチック・フィルムの厚さは、３０μｍ−１００μｍ（マイクロメートル）の範囲内にあるとすることが可能である。電気回路内のＬＥＤを後に接続する導電性トラックを形成するために、感光性マスクが銅表面に塗布される。マスクを現像した後、銅の層は、所望の形状に、例えば電極コンタクト領域間に延びるトラックを形成するようにエッチングされ、アノード及びカソードのコンタクト領域は、ＬＥＤダイを受け入れるように成形される実装領域の何れの側にも形成される。
【００１１】
ＬＥＤダイは、適所に取り付けられ、次いで、例えばワイヤ・ボンドを用いてトラックに結合されることが可能である。本発明の好ましい実施形態において、ＬＥＤダイ及びフレキシブル・キャリアにコーティングが塗布される。コーティングは、ＬＥＤｓ及びワイヤ・ボンドを保護する層として機能することが可能である。コーティングはまた、そのＬＥＤ照明アセンブリを組み込む照明ユニットのために好ましい光出力を達成するために、反射性であるとすることが可能である。
【００１２】
ＬＥＤｓは動作中に発熱する。特に、非常に明るい光源を達成するために使用されるパワーＬＥＤの場合、高い温度はＬＥＤのパフォーマンスを損ない、照明ユニットの寿命を短くする可能性があるので、ＬＥＤが過度に熱くならないことを保証することが重要である。従って、本発明の特に好ましい実施形態では、フレキシブル成形要素は、ＬＥＤに近接して配置されるヒート・スプレッダを含む。例えば、ワイヤ・コイル又はバンドがフレキシブル支持要素の周りに巻き付けられることが可能であり、その結果、ワイヤ・コイル又はバンドは、フレキシブル・キャリアの直下にあり、動作中にＬＥＤから熱を放散する。もちろん、ヒート・スプレッダは、任意の適切な形状又は形態を有することが可能であり、例えば、フレキシブル支持要素を完全に又は部分的に囲むためのチューブ又はハーフ・パイプとして実現されてもよい。好ましくは、フレキシブル支持要素は、熱を放散させることもできる。支持要素は、ロッド、バー、又は任意の適切な形状の構成要素であるとすることが可能である。
【００１３】
フレキシブル・キャリアは、フレキシブル成形要素の周りに螺旋状に巻かれ又は巻き付けられ、螺旋状巻き付けピッチは、フレキシブル・キャリアに取り付けられるＬＥＤｓの位置を事実上に決定することになる。従って、本発明の好ましい実施例では、巻き付け後に所望のＬＥＤ配置を達成するように巻き付けピッチ又は螺旋ピッチを決定するステップが、巻き付けステップに先行している。好ましくは、螺旋ピッチは、フレキシブル成形要素の寸法及び／又はフレキシブル・キャリアの寸法に基づいて決定される。好ましくは、ＬＥＤダイのための実装領域は、それがフレキシブル成形要素の周囲に巻き付けられた後のフレキシブル・キャリアのピッチを考慮に入れるように整形される。ダイ実装領域は、本質的に、アノード・コンタクト領域及びカソード・コンタクト領域によって両側を画定された長方形又は正方形の空きスペースである。曲げられた取り付け領域は、巻き付けられた後にＬＥＤｓが本質的に「真っ直ぐな」方向（“ｕｐｒｉｇｈｔ”ｏｒｉｅｎｔａｔｉｏｎ）になるように、フレキシブル・キャリア上に形成されることが可能である。例えば、フレキシブルＰＣＢのエッジに実質的に平行に走るトラックは、傾斜したアノード・コンタクト領域で終端することが可能である。トラックは、ダイ実装領域の反対側の対応する形状に傾斜したカソード領域で再開する。
【００１４】
もちろん、フレキシブル・キャリアは、種々の可能なＬＥＤ配置を念頭に置いて設計されることも可能である。例えば、ＬＥＤが共通ラインに沿って配置されるように見えるＬＥＤｓの直線配列を達成することが望ましい場合がある。例えば、ＬＥＤ照明アセンブリを収容するために使用されるハウジング・ユニットの形状及び設計に応じて、直線的な配列又は曲線的な配列を達成することが望ましい場合がある。従って、本発明の好ましい実施形態では、本方法は、巻き付けた後の所望のＬＥＤ配置に基づいて発光ダイオード間の実装ピッチを決定するステップを含む。取り付けピッチは、フレキシブル・キャリアに取り付けられる場合の隣接するＬＥＤｓ間の距離として理解されてもよい。取り付けピッチは、フレキシブル・キャリア設計に対して一定であってもよい。例えば、単に、より短いフレキシブル成形要素の周りに（比較的少ない数のＬＥＤｓを有する）短い長さのフレキシブル・キャリアを巻き付け、及びより長いフレキシブル成形要素の周りに（より多い数のＬＥＤｓを有する）長い長さのフレキシブル・キャリアを巻き付けることにより、同じフレキシブル・キャリア設計が、「短い」照明ユニット及び「長い」照明ユニットを構築するために使用されることが可能である。同じタイプのフレキシブル成形要素が使用される場合、それらの巻き付け位置にあるＬＥＤｓ間の距離は、「短い」及び「長い」実装の両方に対して本質的に同じであるとすることが可能であり、その結果、異なる長さではあるが本質的に類似した外観を有する照明ユニットをもたらす。もちろん、取り付けピッチは、例えば、フレキシブル成形要素が不規則又は複雑な形状を有する場合に、単一のフレキシブル・キャリアの実施形態に応じて変化してもよい。
【００１５】
フレキシブル・キャリアは、単一セットのＬＥＤｓを担うように準備されることが可能である。同様に、単一のフレキシブル・キャリアは、２組以上のＬＥＤｓを担うように準備されることが可能である。例えば、自動車の後方照明ユニットで使用される場合、ＬＥＤ照明アセンブリは、一組の赤色ＬＥＤのためのトラックと、一組の黄色ＬＥＤのための個別のトラックとを含むフレキシブル・キャリアを使用することができる。複数のＬＥＤセットを有するＬＥＤ照明アセンブリは、フレキシブル・キャリア上に２つ以上のトラックのセットと、ＬＥＤダイを受けるための上述した実装領域の適切な配置とを形成することにより、達成されることが可能である。フレキシブル・キャリアの取り付けピッチ及び巻き付けピッチは、ＬＥＤセット用のＬＥＤｓの所望の配置を達成するように決定されることが可能である。代替的又は追加的に、所望のＬＥＤ構成を達成するために、２つ以上のフレキシブル・キャリアが、単一のフレキシブル成形要素の周りに巻き付けられることが可能である。
【００１６】
フレキシブル成形要素それ自体は、ロッド又はバー、又は適切な寸法を有する任意の好適な構成要素であるとすることが可能である。本発明の好ましい実施形態では、成形要素は、所望の形状又は形態に曲げられることが可能な材料で構成される。このようにＬＥＤ照明アセンブリを細工することは、必要に応じて、巻き付けステップの前又は巻き付けステップの後に行われることが可能である。例えば、本発明のＬＥＤ照明アセンブリは、フレキシブル成形要素を形成するようにフレキシブル・ロッドの周りにワイヤ・コイルを巻き付け、フレキシブル成形要素の周りにフレキシブル・キャリアを巻き付け、次いで、照明ユニットのハウジングに挿入する前に、ＬＥＤ照明アセンブリ全体を所望の形状に曲げることによって、準備されることが可能である。このようにして、以前に準備された１種類のＬＥＤ照明アセンブリが、異なる形状のハウジングに容易に適合させられることが可能である。
【００１７】
均一な光出力が、本発明のＬＥＤ照明アセンブリを使用する照明用途において望まれるかもしれない。しかしながら、ＬＥＤの線状配列は、一般に、個別的な光源のストリングとして見えるであろう。従って、本発明の好ましい実施形態において、本方法は、半透明のフレキシブル材料の層がＬＥＤ照明アセンブリのうち少なくともＬＥＤを覆うように、螺旋状に巻かれたキャリア及び発光ダイオードを半透明のフレキシブル材料の中に封入するステップを含む。申し分のない均一な光出力を達成するために、散乱粒子が半透明のフレキシブル材料中で懸濁されることが可能である。材料の適切な選択肢は、例えば、シリコーンであってもよい。これは、モールド内に配置されたＬＥＤ照明アセンブリ上に注がれ、次いで、任意の適切な硬化技術を用いてシリコンをセットするように硬化させられることが可能である。「モールド」は、ＬＥＤ照明アセンブリを受けるように成形された照明ユニットのハウジングであるとすることが可能である。このようなハウジングは、コンテナ又は混合ボックスと称することが可能であり、好ましくは、反射性の側壁と、側壁によって画定される光出口開口とを含む。本発明のＬＥＤ照明アセンブリは、コンテナの「床」又は基部に位置するように配置されることが可能であり、好ましくは、上述したように半透明のフレキシブル材料に埋め込まれる。このような配置は、好ましい均一な光出力を有する直線状又は曲線状のストリップの外観を有することが可能な光源をもたらす。
【００１８】
本発明の他の課題及び特徴は、添付図面と関連して考察される以下の詳細な説明から明らかになるであろう。しかしながら、図面は、例示の目的のみでデザインされており、本発明の限界の定義としてはではないことが理解されるべきである。
【図面の簡単な説明】
【００１９】
【図１】本発明のＬＥＤ照明アセンブリの実施形態を示す。
【図２】図１のＬＥＤ照明アセンブリのフレキシブル・キャリアを示す。
【図３】図１のＬＥＤ照明アセンブリのフレキシブル成形要素を示す。
【図４】本発明のＬＥＤ照明アセンブリのさらなる実施形態を示す。
【図５】本発明のＬＥＤ照明ユニットの実施形態を示す。
【図６】本発明のＬＥＤ照明ユニットのさらなる実施形態を示す。  図中、同様な番号は全体を通して同様な対象物を指す。図中の対象物は必ずしもスケール通りに描かれているわけではない。
【発明を実施するための形態】
【００２０】
図１は、本発明のＬＥＤ照明アセンブリ１の実施形態を示す。図は、フレキシブル・コア１２の周りに巻き付けられているフレキシブルＰＣＢキャリア１０を示す。ＬＥＤｓ１１は、フレキシブルＰＣＢ１０の中又は上に形成される導電性トラック１００によって電気的に接続され、単一の光源として制御されることが可能である。フレキシブル・コア１２は、シリコーン・ゴム発泡ゴム又は他の任意の本質的にフレキシブルな材料等の可撓性材料のロッド１２０の周りに巻き付けられる金属コイル１２１を含む。従って、コア１２は本質的にフレキシブルであり、金属コイル１２１は、ＬＥＤ１１の動作中に効率的な熱拡散器として機能する。図に示されるようなＬＥＤ１１の直線配置は、フレキシブル・コア１２の直径や、隣接するＬＥＤダイ１１間のオフセット距離Ｓ１１等の種々のパラメータの適切な選択又は調整によって、達成されることが可能である。例えば、フレキシブル・キャリア１０は、図２に示されるように、特定のＬＥＤ取り付けピッチＰ１１又はキャリア・オフセットＰ１１を有するように準備されることが可能である。フレキシブル・コア１２は、図３に示されるように、事前に準備されたワイヤ・コイル１２１にフレキシブル・ロッド１２０を挿入することによって、又はそのようなワイヤをフレキシブル・ロッド１２０の周りに巻き付けることによって、組み立てられることが可能である。フレキシブルＰＣＢ１０の幅Ｗ１０は、そのフレキシブル・キャリア１０のＬＥＤ１１間の達成可能な最小のオフセット距離又は巻き付けピッチＳ１１を決定することになる。ＬＥＤ巻き付けピッチＳ１１は、コア１２に適当な直径Ｄ１２を選択することによって、及び／又は適当な螺旋ピッチを用いてフレキシブル・キャリア１０をフレキシブル・コア１２の周りに巻き付けることによって、増加させることが可能である。従って、ＬＥＤ実装ピッチＰ１１とコア直径Ｄ１２とが固定される場合でさえ、ＬＥＤｓ１１の様々な異なる配置を達成することが依然として可能である。例えば、ＬＥＤｓ１１の異なる直線配列を達成することが可能であり、その異なる配列の各々は異なる巻き付けピッチ又は取り付けオフセットＳ１１を有する。あるいは、コア直径Ｄ１２及び／又はキャリア幅Ｗ１０及び／又は実装オフセットＳ１１は、巻き付けられた状態でＬＥＤｓ１１の特定の螺旋配列を達成するように選択されることが可能である。
【００２１】
図４は、本発明のＬＥＤ照明アセンブリ１の別の実施形態を示す。取り付けオフセットＳ１１及びコア直径Ｄ１２は、フレキシブル・キャリア１０をフレキシブル・コア１２の周りに螺旋状に巻き付けた後に、直線状のＬＥＤ配列を達成するように選択されている。この実施形態では、フレキシブル・コア１２は、湾曲した形状に持ち込まれている。フレキシブル・コア１２のこの形状は、巻き付けステップの前又は後に行われることが可能である。
【００２２】
図５は本発明のＬＥＤユニット２の実施形態の切り欠き図である。ここで、ＬＥＤ照明アセンブリ１は、フレキシブル・キャリア１０をフレキシブル・コア１２の周りに巻き付けることによって、本発明の方法を用いて製造されている。この例示的な実施形態では、フレキシブル・コア１２は、棒状に成形され、長円断面を有し、フレキシブル・バーの周囲に配置されたヒート・スプレッダを含むことができる。フレキシブルＰＣＢキャリア１０は、ＬＥＤ１１の線形配列を達成するために、フレキシブル・コア１２の周りに螺旋状に巻き付けられている。ＬＥＤ照明アセンブリ１は、混合ボックス２０又はコンテナ２０又は容器２０内に配置され、シリコーン等の半透明の充填剤（又はフィラー）２１の中に埋め込まれる。充填剤２１は、コンテナ２０の光出口開口２２で均一な光出力を達成するために、散乱粒子の懸濁（液）を含むことが可能である。図は、直線状の壁のコンテナ２０を示すが、コンテナ２０は、上記図４に記述されるタイプの湾曲したＬＥＤ照明アセンブリ１を収容する曲線形状を有することができることを理解されたい。
【００２３】
図６は、ＬＥＤ照明ユニット２のそのような実施形態を示す。ここで、コンテナ２０又はハウジング２０は、湾曲した形状を有し、湾曲した自動車用後部照明ユニットの一部である。ＬＥＤ照明アセンブリ１は、コンテナ２０内に配置され、半透明の充填剤２１の中に埋め込まれる。この例示的な実施形態では、フレキシブル・キャリア１０は、ＬＥＤｓ１１のいくつかの独立に制御可能なセット（又は組）のためのトラックを提供するように準備されている。一組のＬＥＤ−例えば下の行にあるもの−は後部ライト及び／又はブレーキ・ライトとして制御される赤色ＬＥＤｓ１１を含むことが可能であり；別の一組のＬＥＤ−例えば上の行にあるもの−はインジケータ・ライトとして制御される黄色ＬＥＤｓ１１を含むことができる。さらなる一組のＬＥＤｓ、例えばリバース・ライトとして制御されることが可能な白色ＬＥＤｓが容易に包含され得る。独立に制御可能なＬＥＤｓ１１のセットのためのトラック（破線によって示されている）を含むフレキシブル・キャリア１０は、上述のようにフレキシブル・コア１２の周りに巻き付けられる。可変パラメータ（例えば、巻線ピッチ、コア直径）を本質的に固定されたパラメータ（例えば、ＬＥＤ実装オフセット、ＰＣＢ幅）に調整する多くの可能性に起因して、明白に異なる外観及び／又は機能を有するそのような広範囲の多様な照明ユニット２を製造するために、単一キャリア設計を使用することが可能である。
【００２４】
本発明は、好ましい実施態様及びそれについての変形の形態で開示されてきたが、本発明の範囲から逸脱することなく、それらに対して多数のさらなる修正及び変形が施され得ることが理解されるであろう。例えば、「インテリジェント」又はプログラマブルＬＥＤｓは、本発明のＬＥＤ照明アセンブリの実施形態において使用されることが可能である。このようなプログラマブルＬＥＤは、例えば可動光パターンを生成するように制御されることが可能である。適切な方法でプログラマブルＬＥＤをオン／オフをスイッチングすることにより、特定の移動する光パターン又は照明シーケンスが達成され得る。
【００２５】
明確化のため、本願を通じて「ある」（「ａ」又は「ａｎ」）を使用することは複数を排除しておらず、「含む」（ｃｏｍｐｒｉｓｉｎｇ）は他のステップ又は要素を排除していないことが、理解されるべきである。
【図１】
2019536217.tif 000003
【図２】
2019536217.tif 000004
【図３】
2019536217.tif 000005
【図４】
2019536217.tif 000006
【図５】
2019536217.tif 000007
【図６】
2019536217.tif 000008
【国際調査報告】
2019536217.tif 000009
2019536217.tif 000010
2019536217.tif 000011